(57)【要約】【課題】表示異常や画質を損なうことなく消費電力の低減を行うことが可能なプラズマディスプレイパネルの駆動方法及びプラズマディスプレイ装置を提供することを目的とする。【解決手段】映像信号が未入力状態又は全面黒画像の状態になった場合には、ＰＤＰを駆動すべき駆動パルスの印加を停止する。ここで、映像信号の入力が再開される又は全面黒画像の状態から通常画像の状態に復帰した場合、その時点から所定期間が経過するまでの間だけ、駆動パルスのピーク電位の絶対値を増加する又はそのパルス幅を広げることにより放電強度を高めてから、駆動パルスのピーク電位の絶対値又はそのパルス幅を通常の値に戻す。【選択図】図２
2009265373.tif 000002
【特許請求の範囲】
【請求項１】
画素に対応した放電セルを備えたプラズマディスプレイパネルに各種の駆動パルスを印加することにより、入力された映像信号によって表される画像を表示させるプラズマディスプレイパネルの駆動方法であって、
前記映像信号が入力されている間は第１パルス波形を有する駆動パルスを前記放電セルに印加し、
前記映像信号が入力されている状態から非入力状態に遷移した場合には前記駆動パルスの印加を停止し、その後、前記映像信号の入力が再開された場合には所定期間だけ前記第１パルス波形とは異なる第２パルス波形を有する前記駆動パルスを前記放電セルに印加することを特徴とするプラズマディスプレイパネルの駆動方法。
【請求項２】
前記第２パルス波形を有する前記駆動パルスにおけるピーク電位の絶対値が、前記第１パルス波形を有する前記駆動パルスにおけるピーク電位の絶対値よりも大であることを特徴とする請求項１に記載のプラズマディスプレイパネルの駆動方法。
【請求項３】
前記第２パルス波形を有する前記駆動パルスにおけるパルス幅が、前記第１パルス波形を有する前記駆動パルスにおけるパルス幅よりも広いことを特徴とする請求項１に記載のプラズマディスプレイパネルの駆動方法。
【請求項４】
前記駆動パルスは、前記放電セルの状態を初期化する為に印加するリセットパルスであることを特徴とする請求項１に記載のプラズマディスプレイパネルの駆動方法。
【請求項５】
前記非入力状態時に、前記駆動パルスの電源電位を、前記第１パルス波形を有する前記駆動パルスのピーク電位に相当する第１電位から、前記第２パルス波形を有する前記駆動パルスのピーク電位に相当する第２電位に切り替えることを特徴とする請求項２に記載のプラズマディスプレイパネルの駆動方法。
【請求項６】
前記駆動パルスの電源電位を、前記第１電位の状態から時間経過につれ段階的に高めて行くべき電位切り替えを行うことにより前記第２電位に到らせることを特徴とする請求項５に記載のプラズマディスプレイパネルの駆動方法。
【請求項７】
前記非入力状態の後に前記映像信号の入力が再開されてから前記所定期間経過後に、前記駆動パルスのパルス波形を前記第２パルス波形から前記第１パルス波形に切り換えることを特徴とする請求項１に記載のプラズマディスプレイパネルの駆動方法。
【請求項８】
前記駆動パルスのピーク電位を、前記第２パルス波形におけるピーク電位の状態から時間経過につれ段階的に低下させるべき電位切り換えを行うことにより前記第１パルス波形におけるピーク電位に到らせることを特徴とする請求項７に記載のプラズマディスプレイパネルの駆動方法。
【請求項９】
画素に対応した放電セルを備えたプラズマディスプレイパネルに各種の駆動パルスを印加することにより、入力された映像信号によって表される画像を表示させるプラズマディスプレイパネルの駆動方法であって、
１フレーム分が全て輝度レベル０となる全面黒画像以外の通常画像を表す映像信号が供給されている間は第１パルス波形を有する駆動パルスを前記放電セルに印加し、
前記映像信号が前記通常画像を表す状態から前記全面黒画像を表す状態に遷移した場合には前記駆動パルスの印加を停止し、その後、前記映像信号が前記通常画像を表す状態に戻った場合には所定期間だけ前記第１パルス波形とは異なる第２パルス波形を有する前記駆動パルスを前記放電セルに印加することを特徴とするプラズマディスプレイパネルの駆動方法。
【請求項１０】
前記第２パルス波形を有する前記駆動パルスにおけるピーク電位の絶対値が、前記第１パルス波形を有する前記駆動パルスにおけるピーク電位の絶対値よりも大であることを特徴とする請求項９に記載のプラズマディスプレイパネルの駆動方法。
【請求項１１】
前記第２パルス波形を有する前記駆動パルスにおけるパルス幅が、前記第１パルス波形を有する前記駆動パルスにおけるパルス幅よりも広いことを特徴とする請求項９に記載のプラズマディスプレイパネルの駆動方法。
【請求項１２】
前記駆動パルスは、前記放電セルの状態を初期化する為に印加するリセットパルスであることを特徴とする請求項９に記載のプラズマディスプレイパネルの駆動方法。
【請求項１３】
前記全面黒画像の状態時に、前記駆動パルスの電源電位を、前記第１パルス波形を有する前記駆動パルスのピーク電位に相当する第１電位から、前記第２パルス波形を有する前記駆動パルスのピーク電位に相当する第２電位に切り替えることを特徴とする請求項１０に記載のプラズマディスプレイパネルの駆動方法。
【請求項１４】
前記駆動パルスの電源電位を、前記第１電位の状態から時間経過につれ段階的に高めて行くべき電位切り替えを行うことにより前記第２電位に到らせることを特徴とする請求項１３に記載のプラズマディスプレイパネルの駆動方法。
【請求項１５】
前記全面黒画像の状態後に前記通常画像の状態に戻ってから前記所定期間経過後に、前記駆動パルスのパルス波形を前記第２パルス波形から前記第１パルス波形に切り換えることを特徴とする請求項９に記載のプラズマディスプレイパネルの駆動方法。
【請求項１６】
前記駆動パルスのピーク電位を、前記第２パルス波形におけるピーク電位の状態から時間経過につれ段階的に低下させるべき電位切り換えを行うことにより前記第１パルス波形におけるピーク電位に到らせることを特徴とする請求項１５に記載のプラズマディスプレイパネルの駆動方法。
【発明の詳細な説明】
【技術分野】
【０００１】
本発明は、プラズマディスプレイパネルの駆動方法に関する。
【背景技術】
【０００２】
現在、薄型で大画面の表示デバイスとして、画素に対応した放電セルがマトリクス状に配列されているプラズマディスプレイパネル（以下、ＰＤＰと称する）を搭載したプラズマディスプレイ装置が製品化されている。
【０００３】
ＰＤＰは、表示画面を担う前面基板と背面基板との間に放電ガスが封入されている放電空間を挟んだ構造を有する。前面基板には、行電極Ｘ及び行電極Ｙの１対にて１画面の各表示ラインを担う複数の行電極対（Ｘ、Ｙ）が配置されており、背面基板には、上記行電極対各々に交叉する方向に伸張する複数の列電極が配置されている。この際、各行電極対（Ｘ、Ｙ）と列電極との各交叉部に画素を担う放電セルが形成される構造となっている。
【０００４】
プラズマディスプレイ装置では、表示画面上に映像信号に基づく画像を表示させるべく、このような構造を有するＰＤＰに対して、以下の如き各種駆動パルスを印加するようにしている。
【０００５】
先ず、行電極対（Ｘ、Ｙ）各々に対して順次、択一的に走査パルスを印加しつつ、各走査パルスの印加タイミングに同期させて、映像信号に応じた画素データパルスを列電極の各々に印加する（アドレス行程）。これにより、点灯モードの状態に設定すべき放電セルにのみ放電（アドレス放電）を生起させ、この放電セル内に所望量の壁電荷を形成させる。尚、アドレス放電が生起されなかった放電セルは、壁電荷の量が所望量に満たないので消灯モードの状態に維持される。次に、サスティンパルスを全ての行電極Ｘ、及び全ての行電極Ｙに対して交互に繰り返し印加する（サスティン行程）。この際、上記点灯モードの状態にある放電セルのみが、サスティンパルスが印加される度に放電(サスティン放電)し、そのサスティン放電の回数に対応した輝度が得られるようになる。
【０００６】
このように、ＰＤＰを駆動するには、画像表示を担う発光を伴う放電（サスティン）の他にも各種放電を生起させなければならず、消費電力が大となるという問題があった。
【０００７】
そこで、このような電力消費を抑えるべく、映像信号におけるブランキング期間及び無信号期間中に限り、全ての駆動パルスの発生を強制的に停止させるようにした駆動方法が提案された（例えば、特許文献１参照）。
【０００８】
ところが、ＰＤＰにおいては、駆動パルスの印加停止状態が長くなるほど、放電セル内に残留するプライミング粒子が減少して行く。よって、再び駆動パルスの印加が開始されても放電を安定して生起させることが困難となり、表示異常や表示画像の劣化を招く虞があるという問題が発生した。
【特許文献１】特開２００２−３１１８８９号公報
【発明の開示】
【発明が解決しようとする課題】
【０００９】
本発明は、表示異常や画質を損なうことなく消費電力の低減を行うことが可能なプラズマディスプレイパネルの駆動方法を提供することを目的とする。
【課題を解決するための手段】
【００１０】
請求項１記載によるプラズマディスプレイパネルの駆動方法は、画素に対応した放電セルを備えたプラズマディスプレイパネルに各種の駆動パルスを印加することにより、入力された映像信号によって表される画像を表示させるプラズマディスプレイパネルの駆動方法であって、前記映像信号が入力されている間は第１パルス波形を有する駆動パルスを前記放電セルに印加し、前記映像信号が入力されている状態から非入力状態に遷移した場合には前記駆動パルスの印加を停止し、その後、前記映像信号の入力が再開された場合には所定期間だけ前記第１パルス波形とは異なる第２パルス波形を有する前記駆動パルスを前記放電セルに印加する。
【００１１】
請求項９記載によるプラズマディスプレイパネルの駆動方法は、画素に対応した放電セルを備えたプラズマディスプレイパネルに各種の駆動パルスを印加することにより、入力された映像信号によって表される画像を表示させるプラズマディスプレイパネルの駆動方法であって、１フレーム分が全て輝度レベル０となる全面黒画像以外の通常画像を表す映像信号が供給されている間は第１パルス波形を有する駆動パルスを前記放電セルに印加し、前記映像信号が前記通常画像を表す状態から前記全面黒画像を表す状態に遷移した場合には前記駆動パルスの印加を停止し、その後、前記映像信号が前記通常画像を表す状態に戻った場合には所定期間だけ前記第１パルス波形とは異なる第２パルス波形を有する前記駆動パルスを前記放電セルに印加する。
【発明を実施するための最良の形態】
【００１２】
先ず、映像信号が未入力状態又は全面黒画像の状態になった場合には、ＰＤＰを駆動すべき駆動パルスの印加を停止することにより電力消費の削減を図る。ここで、映像信号の入力が再開される又は全面黒画像の状態から通常画像の状態に復帰した場合、その時点から所定期間が経過するまでの間だけ、駆動パルスのピーク電位の絶対値を増加する又はそのパルス幅を広げることにより放電強度を高めてから、駆動パルスのピーク電位の絶対値又はそのパルス幅を通常の値に戻す。すなわち、駆動パルスの印加停止後は放電セル内に残留するプライミング粒子の量が減少して放電が生起しづらい状態になっている。そこで、映像信号の入力が再開される又は通常の画像状態に復帰した直後は、例え放電セル内に残留するプライミング粒子の量が少ない状態であっても放電が生起されるように、各種駆動パルスのピーク電位の絶対値を増加する又はそのパルス幅を広げて放電強度を高めるのである。そして、この間において生起された放電によってプライミング粒子が増加し、放電が生起され易い状態になるので、各種駆動パルスのピーク電位の絶対値又はそのパルス幅を、通常の値に戻すのである。かかる動作によれば、電力消費を削減する為に駆動パルスの印加を停止した後、その駆動パルスの印加を再開した直後においても放電を安定して生起させることができるようになるので、表示異常や画質を損なうことなく消費電力の低減を図ることが可能となる。
【実施例１】
【００１３】
図１は、本発明による駆動方法に従ってプラズマディスプレイパネルの駆動を行うプラズマディスプレイ装置の構成を示す図である。
【００１４】
図１において、プラズマディスプレイパネルとしてのＰＤＰ１０は、表示画面を担う前面基板（図示せぬ）と背面基板（図示せぬ）との間に放電ガスが封入されている放電空間を挟んだ構造を有する。前面基板上には、夫々が２次元表示画面の水平方向に伸張するｎ個の行電極Ｘ１〜Ｘｎ及びＹ１〜Ｙｎが、ＸＹ交互に配置されている。この際、互いに隣接する一対の行電極対（Ｘ、Ｙ）が、２次元表示画面における１表示ラインを担うものとなる。一方、背面基板上には、夫々が２次元表示画面の垂直方向に伸張するｍ個の列電極Ｄ１〜Ｄｍが、図１に示すように、行電極Ｘ１〜Ｘｎ及びＹ１〜Ｙｎに交叉した形態で配置されている。この際、１つの列電極Ｄが、２次元表示画面における１列を担うものとなる。そして、各行電極対（Ｘ、Ｙ）と列電極Ｄとの各交叉部に、画素を担う放電セルＰＣが形成される構造となっている。つまり、ＰＤＰ１０には、ｍ個の表示ライン（第１〜第ｎ表示ライン）が形成されており、各表示ライン上にｍ個の放電セルＰＣが配置されている。又、ＰＤＰ１０の各列上にはｎ個の放電セルＰＣが配置されていることになる。
【００１５】
同期検出部１は、映像信号中から垂直周期ＴＶの垂直同期信号を検出する度に図２に示す如きパルスＶＰが生じる同期検出信号ＶSYCを生成し、これをリセットモード設定部２及び駆動制御部３各々に供給する。
【００１６】
リセットモード設定部２は、同期検出信号ＶSYCに基づく以下の処理により、
［通常モード]、
[停止モード]、
［ブーストモード］
の内の１つを表すリセットモード信号ＲＭを生成し、これを駆動制御部３に供給する。
【００１７】
すなわち、リセットモード設定部２は、同期検出信号ＶSYC中から上記垂直周期ＴＶ毎にパルスＶＰが検出されている間、つまり映像信号の供給が為されている期間中は、図２に示す如く、［通常モード］を表すリセットモード信号ＲＭを駆動制御部３に供給する。
【００１８】
そして、この［通常モード］の状態時において映像信号の供給が停止すると、リセットモード設定部２は、以下の如きシーケンスにて、そのモードを［通常モード］から [停止モード]、そして［ブーストモード］へと変更して行く。
【００１９】
すなわち、図２に示す如く、１つのパルスＶＰ（ＶＰＥにて示す）が検出されてから垂直周期ＴＶの経過後に次のパルスＶＰが検出されない場合、リセットモード設定部２は、この時点、つまり、次のパルスＶＰが検出されるべき時点から更に所定の第１期間Ｔ１（Ｔ１＞ＴＶ）が経過するまでの間に次のパルスＶＰが検出されたか否かを判定する。この際、次のパルスＶＰが検出されなかった場合、リセットモード設定部２は、映像信号の供給が停止したと判断し、上記第１期間Ｔ１の経過時点において［通常モード］に代えて［停止モード］を表すリセットモード信号ＲＭを駆動制御部３に供給する。すなわち、垂直同期タイミングを表すパルスＶＰが検出されなくなるという、いわゆる映像信号の供給が為されなくなった場合、リセットモード設定部２は、［停止モード］を表すリセットモード信号ＲＭを駆動制御部３に供給するのである。その後、図２に示すように、同期検出信号ＶSYC中から最初のパルスＶＰ（ＶＰRSにて示す）が検出されると、リセットモード設定部２は、［停止モード］に代えて［ブーストモード］を表すリセットモード信号ＲＭを所定の第２期間Ｔ２に亘り駆動制御部３に供給する。そして、かかる第２期間Ｔ２の経過後、リセットモード設定部２は、［再び［通常モード］を表すリセットモード信号ＲＭを駆動制御部３に供給する。すなわち、リセットモード設定部２は、映像信号の供給が再開されたら直ちに［通常モード］に戻すのではなく、一旦、第２期間Ｔ２の間だけ［ブーストモード］に設定してから［通常モード］の設定に戻すのである。
【００２０】
駆動制御部３は、図３に示す如きサブフィールド法に基づく発光駆動シーケンスに従って、ＰＤＰ１０を駆動すべき各種駆動制御信号を、アドレスドライバ４、Ｘ電極ドライバ５及びＹ電極ドライバ６からなるパネルドライバに供給する。すなわち、駆動制御部３は、１フレーム又は１フィールド表示期間（以下、単位表示期間と称する）毎に、図３に示すサブフィールドＳＦ１〜ＳＦ（Ｎ）各々において、アドレス行程Ｗc及びサスティン行程Ｉcに従った駆動を順次実施させるべき各種制御信号をパネルドライバに供給する。尚、駆動制御部３は、先頭のサブフィールドＳＦ１に限り、アドレス行程Ｗcに先立ち、リセット行程Ｒcに従った駆動を実施させるべき各種制御信号をパネルドライバに供給する。
【００２１】
パネルドライバ（アドレスドライバ４、Ｘ電極ドライバ５及びＹ電極ドライバ６）は、駆動制御部３から供給された各種制御信号に応じて、上記リセット行程Ｒc、アドレス行程Ｗc及びサスティン行程Ｉc各々において、図４に示す如き各種駆動パルスをＰＤＰ１０の列電極Ｄ、行電極Ｘ及びＹに印加する。尚、図４は、図３に示されるサブフィールドＳＦ１〜ＳＦ（Ｎ）の内のＳＦ１のみを抜粋して各種駆動パルスの印加形態を示す図である。
【００２２】
各サブフィールドＳＦのアドレス行程Ｗcでは、Ｙ電極ドライバ６が、図４に示す如く全ての行電極Ｙ１〜Ｙｎを所定の負極性の電位に設定しつつ、負極性のピーク電位を有する走査パルスＳＰを、行電極Ｙ１、Ｙ２、Ｙ３、・・・・、Ｙｎ-1及びＹn各々に順次、択一的に印加して行く。更に、この間、駆動制御部３は、映像信号によって表される各画素毎の輝度レベルに基づき、サブフィールドＳＦ１〜ＳＦ(Ｎ)各々毎に、そのＳＦで放電セルＰＣを点灯及び消灯モード状態の内のいずれの状態に設定するのかを各放電セルＰＣ毎に示す画素駆動データビットを生成する。例えば、駆動制御部３は、点灯モードに設定すべき放電セルＰＣに対しては論理レベル０、消灯モードに設定すべき放電セルＰＣに対しては論理レベル１の画素駆動データビットを生成する。そして、駆動制御部３は、かかる画素駆動データビットを１表示ライン分（ｍ個）ずつ、上記走査パルスＳＰの各印加タイミングに同期させてアドレスドライバ４に供給する。これにより、アドレスドライバ４は、画素駆動データビットのｍ各々毎に、その画素駆動データビットの論理レベルに対応したピーク電位を有する画素データパルスＤＰ１〜ＤＰｍを夫々生成し、列電極Ｄ１〜Ｄｍに夫々印加する。例えば、アドレスドライバ４は、論理レベル１の画素駆動データビットＤＢに応じて所定の正極性の高ピーク電位を有する高電圧の画素データパルスＤＰを生成する。一方、論理レベル０の画素駆動データビットＤＢに応じて、アドレスドライバ４は、所定の低ピーク電位（０ボルト）を有する低電圧の画素データパルスＤＰを生成する。この際、上記走査パルスＳＰと同時に、高電圧の画素データパルスＤＰが印加された放電セルＰＣではアドレス放電が生起され、この放電セルＰＣ内に残留している壁電荷が消去される。これにより、かかる放電セルＰＣは点灯モードの状態から消灯モードの状態に遷移する。一方、上記走査パルスＳＰと同時に低電圧の画素データパルスＤＰが印加された放電セルＰＣでは上述した如きアドレス放電は生起されないので、この放電セルＰＣは、その直前までの状態（点灯モード、又は消灯モード）の状態を維持する。
【００２３】
又、各サブフィールドＳＦのサスティン行程Ｉcでは、Ｘ電極ドライバ５及びＹ電極ドライバ６各々が、図４に示す如く、正極性のピーク電位を有するサスティンパルスＩＰＸ及びＩＰＹを、そのサブフィールドの輝度重み付けに対応した回数分だけ交互に繰り返し行電極Ｘ１〜Ｘn及びＹ１〜Ｙn各々に印加する。すると、放電セルＰＣ各々の内で点灯モードの状態にあるものだけが、これらサスティンパルスＩＰＸ及びＩＰＹが印加される度にサスティン放電し、その放電に伴う発光状態を維持する。この際、単位表示期間内において上記サスティン放電の生起された合計回数に対応した輝度が視覚されることになる。
【００２４】
又、単位表示期間内の先頭のサブフィールドＳＦ１のみで実行されるリセット行程Ｒcでは、駆動制御部３は、リセットモード信号ＲＭにて示されるモードに応じて、リセットパルスを生成させるべき各種駆動制御信号をＹ電極ドライバ６に供給する。
【００２５】
図５は、Ｙ電極ドライバ６内に設けられているリセットパルス発生回路の構成を示す図である。
【００２６】
図５において、可変直流電源ＶＲは、上記駆動制御信号としてのピーク電位指定信号ＣＶにて示される直流の電圧を発生する。スイッチング素子ＳＷは、上記駆動制御信号としてのスイッチング信号ＣＳに応じてオン状態及びオフ状態の内の一方の状態に設定され、そのオン状態時にのみ、可変直流電源ＶＲの正極端子上の電位を抵抗Ｒを介して行電極Ｙに印加する。
【００２７】
ここで、リセットモード信号ＲＭが[通常モード]を示す場合には、駆動制御部３は、リセットパルスの正極性ピーク電位として電位Ｖ１を生成させるべきピーク電位指定信号ＣＶを上記リセットパルス発生回路に供給する。更に、駆動制御部３は、所定期間に亘りスイッチング信号ＣＳをオン状態に設定させるべきスイッチング信号ＣＳを上記リセットパルス発生回路に供給する。これにより、[通常モード]時には、Ｙ電極ドライバ６は、リセット行程Ｒcにおいて図４に示す如く、その電位が０ボルトの状態から徐々に上昇して正極性のピーク電位Ｖ１に到る波形を有するリセットパルスＲＰＹを生成し、これを全ての行電極Ｙ１〜Ｙｎに一斉に印加する。かかるリセットパルスＲＰＹに応じて、ＰＤＰ１０の全ての放電セルＰＣ内でリセット放電が生起され、各放電セル内には所定量の壁電荷が形成される。よって、全ての放電セルＰＣは、点灯モードの状態に初期化される。
【００２８】
又、リセットモード信号ＲＭが[停止モード]を示す場合、駆動制御部３は、リセット行程Ｒcの期間中に亘り、スイッチング信号ＣＳをオフ状態に設定させるべきスイッチング信号ＣＳを上記リセットパルス発生回路に供給する。これにより、[停止モード]時には、Ｙ電極ドライバ６は、図６に示す如く、リセット行程Ｒcでは上述した如きリセットパルスＲＰＹの印加を停止する。従って、[停止モード]時には、放電セルＰＣの状態を初期化すべきリセット放電が一切生起されない。
【００２９】
又、リセットモード信号ＲＭが[ブーストモード]を示す場合には、駆動制御部３は、リセットパルスの正極性ピーク電位として、上記電位Ｖ１よりも高い電位Ｖ２を生成させるべきピーク電位指定信号ＣＶを上記リセットパルス発生回路に供給する。更に、駆動制御部３は、所定期間に亘りスイッチング信号ＣＳをオン状態に設定させるべきスイッチング信号ＣＳを上記リセットパルス発生回路に供給する。これにより、[ブーストモード]時には、Ｙ電極ドライバ６は、図７に示す如くリセット行程Ｒcにおいて、その電位が０ボルトの状態から徐々に上昇して正極性のピーク電位Ｖ２（Ｖ１＜Ｖ２）に到る波形を有するリセットパルスＲＰＹを生成し、これを全ての行電極Ｙ１〜Ｙｎに一斉に印加する。かかるリセットパルスＲＰＹに応じて、ＰＤＰ１０の全ての放電セルＰＣ内でリセット放電が生起され、各放電セル内には所定量の壁電荷が形成される。よって、全ての放電セルＰＣは、点灯モードの状態に初期化される。
【００３０】
以上の如く、図１に示すプラズマディスプレイ装置では、単位表示期間毎にリセット行程Ｒcを実行するにあたり、図２に示す如く、映像信号の供給が為されている期間中は[通常モード]に設定され、この際、図４に示す如き正極性のピーク電位Ｖ１を有するリセットパルスＲＰＹに応じて全放電セルＰＣをリセット放電させる。ここで、映像信号の供給が為されなくなると[停止モード]に設定される。この際、図６に示すように、リセット行程ＲcではリセットパルスＲＰＹの印加が為されなくなり、当然、リセット放電は生起されない。すなわち、映像信号の入力が為されていない間は画像を表示する必要がないので、リセット放電を停止させて、消費電力の低減を図るのである。特に、リセット放電は画像データに関係のない放電であって、暗コントラストを悪化させる大きな要因となっている。従って、この間、リセットパルスの印加を停止することにより、映像信号の供給が為されない無信号時に表示されるべき黒画面を忠実に再現することができ、暗コントラストの向上を図ることができる。
【００３１】
ところが、リセットパルスの印加停止期間が続くと、その時間経過に伴うプライミング粒子の減少により、その後、再び映像信号が入力されても放電が安定せずに表示不良を起こす可能が高い。
【００３２】
そこで、本発明においては、[停止モード]の状態、つまり無信号の状態から映像信号の供給が為される状態に遷移した場合には、直ちに[通常モード]の状態に戻すのではなく、図２に示す如く、一旦、所定の第２期間Ｔ２だけ[ブーストモード]に設定してから、[通常モード]の状態に戻すようにしている。この際、[ブーストモード]では、リセットパルスＲＰＹにおける正極性のピーク電位を、[通常モード]でのピーク電位Ｖ１よりも高いピーク電位Ｖ２に設定している。つまり、[ブーストモード]時におけるリセット行程Ｒcでは、[通常モード]時におけるリセット行程Ｒcで生起されるリセット放電よりも強いリセット放電を生起させるのである。よって、[停止モード]でリセットパルスの印加を停止したが故に各放電セルＰＣ内のプライミング粒子が少なくなっていても、確実にリセット放電を生起させることが可能となる。更に、この[ブーストモード]では、[通常モード]時よりも放電強度の大なるリセット放電を生起させることにより、比較的多くのプライミング粒子が発生することになるので、上述した如きプライミング粒子の不足分が補充されることになる。そこで、[ブーストモード]を継続する期間、つまり図２に示す如き第２期間Ｔ２は、プライミング粒子の不足分を解消できる程度の期間長に設定する。これにより、その後の各放電を安定して生起させることが可能となり、表示不良の無い良好な表示画像を提供できるようになる。尚、第２期間Ｔ２に亘る[ブーストモード]の後は、放電は連続して安定した状態となるので、[通常モード]に移行させることによりリセットパルスのピーク電位Ｖ２を通常のピーク電位Ｖ１に戻して、暗コントラストを向上させる。
【００３３】
尚、図２に示すシーケンスでは、[ブーストモード]の開始時点で、リセットパルスＲＰＹのピーク電位をＶ１からＶ２に切り替えるべき処理（電位Ｖ２を示すピーク電位指定信号ＣＶを可変直流電源ＶＲに供給する）を実行しているが、これを図８に示すように、[停止モード]の開始タイミングで実行するようにしても良い。すなわち、[ブーストモード]の開始と同時に、電位Ｖ２を示すピーク電位指定信号ＣＶを可変直流電源ＶＲに供給しても、ＰＤＰ１０は容量性素子である為、その処理が直ちにリセットパルスＲＰＹのピーク電位には反映されず、その間、放電が不安定になる場合がある。そこで、図８に示すように、[ブーストモード]の直前の[停止モード]の段階で、リセットパルスＲＰＹのピーク電位をピーク電位Ｖ２に切り替えるべき処理を実施しておくことにより、[ブーストモード]の開始と同時にピーク電位Ｖ２を有するリセットパルスＲＰＹの生成を可能としている。尚、[停止モード]では、図５に示す如きリセットパルス発生回路のスイッチング素子ＳＷはオフ状態固定となっているので、表示に対する弊害は生じない。
【００３４】
又、図８に示すシーケンスでは、[停止モード]の開始時点で、リセットパルスＲＰＹのピーク電位をＶ１からＶ２に切り替えるべき処理を実行しているが、図９に示す如く[停止モード]の期間中において段階的にピーク電位を高めて行き、[ブーストモード]の直前で最終的なピーク電位Ｖ２に到らせるべき処理を実行するようにしても良い。すなわち、可変直流電源ＶＲに対して急激な出力電圧の変化を生じさせるような制御を実行すると、この可変直流電源ＶＲで誤動作が生じる可能性が高まる。そこで、[停止モード]の期間中において、可変直流電源ＶＲに対して電位Ｖ１から電位Ｖ２に向けて段階的に出力電圧を高めるべき制御を実行することによって、誤動作の発生を防止するのである。
【００３５】
又、図２に示すシーケンスでは、[ブーストモード]の終了と同時にリセットパルスＲＰＹのピーク電位をＶ２からＶ１に切り替えるべき処理を実行しているが、図１０に示す如く[ブーストモード]直後の[通常モード]の期間中において段階的にピーク電位をＶ２からＶ１に向けて低下させるべき処理を実行するようにしても良い。すなわち、[ブーストモード]から[通常モード]への復帰直後に、リセットパルスＲＰＹのピーク電位をＶ２からＶ１へと急激に低下させると、リセット放電の放電強度もこれに応じて大幅に変化する為、変更前後で、黒表示時の輝度が大きく変動して視聴者に違和感を与えることになる。そこで、図１０に示すように、リセットパルスＲＰＹのピーク電位をＶ２からＶ１に向けて段階的に徐々に低下させることにより、黒表示時の輝度変動が視覚的に目立たないようにするのである。
【００３６】
又、図２に示すシーケンスに代わり、上述した如き図９及び図１０の技術を共に採用した図１１に示す如きシーケンスを採用しても良い。
【実施例２】
【００３７】
図１２は、本発明による駆動方法に従ってプラズマディスプレイパネルの駆動を行うプラズマディスプレイ装置の他の構成を示す図である。
【００３８】
尚、図１２においては、図１に示される同期検出部１を黒画像検出部７、リセットモード設定部２をリセットモード設定部２０に夫々置き換えた点を除く他の構成及び動作は、図１に示されるものと同一である。よって、以下に、黒画像検出部７及びリセットモード設定部２０の動作を中心に、図１２に示されるプラズマディスプレイ装置の動作について説明する。
【００３９】
黒画像検出部７は、入力映像信号に基づき、１フレーム分の画像の全面が輝度レベル０となる、いわゆる全面黒画像となる状態を検出した場合には論理レベル１、その他の場合には論理レベル０となる黒画像検出信号ＢＬを生成し、これをリセットモード設定部２０及び駆動制御部３各々に供給する。
【００４０】
リセットモード設定部２０は、黒画像検出信号ＢＬに基づく以下の処理により、
［通常モード]、
[停止モード]、
［ブーストモード］
の内の１つを表すリセットモード信号ＲＭを生成し、これを駆動制御部３に供給する。
【００４１】
すなわち、リセットモード設定部２０は、論理レベル０の黒画像検出信号ＢＬが供給されている間、つまり、全面黒画像以外の画像を表す映像信号が供給されている期間中は、図１３に示すように、［通常モード］を表すリセットモード信号ＲＭを駆動制御部３０に供給する。
【００４２】
そして、この［通常モード］の状態時において全面黒画像を表す映像信号の供給が開始されると、リセットモード設定部２０は、以下の如きシーケンスにて、そのモードを［通常モード］から [停止モード]、そして［ブーストモード］へと変更して行く。
【００４３】
先ず、図１３に示すように、黒画像検出信号ＢＬが論理レベル０の状態から全面黒画像を表す論理レベル１の状態に遷移してから所定の第１期間Ｔ１の経過後もこの全面黒画像を表す論理レベル１の状態を維持している場合、リセットモード設定部２０は、入力映像信号が全面黒画像を表す状態に遷移したと判断する。この際、リセットモード設定部２０は、上記第１期間Ｔ１の経過時点において、［通常モード］に代えて［停止モード］を表すリセットモード信号ＲＭを駆動制御部３に供給する。すなわち、全面黒画像の状態である期間中に亘り、リセットモード設定部２０は、［停止モード］を表すリセットモード信号ＲＭを駆動制御部３に供給するのである。その後、図１３に示すように、黒画像検出信号ＢＬが論理レベル１の状態から、全面黒画像以外の通常の画像を表す論理レベル０の状態に遷移すると、リセットモード設定部２０は、［停止モード］に代えて［ブーストモード］を表すリセットモード信号ＲＭを所定の第２期間Ｔ２に亘り駆動制御部３に供給し、この第２期間Ｔ２の経過後、再び［通常モード］を表すリセットモード信号ＲＭを駆動制御部３に供給する。すなわち、リセットモード設定部２０は、全面黒画像状態から全面黒画像以外の通常の画像状態に復帰したら直ちに［通常モード］に戻すのではなく、一旦、第２期間Ｔ２の間だけ［ブーストモード］に設定してから［通常モード］に戻すようにしている。
【００４４】
従って、図１２に示すプラズマディスプレイ装置では、単位表示期間毎にリセット行程Ｒcを実行するにあたり、図１３に示す如く、全面黒画像以外の通常の画像を表す映像信号が供給されている期間中は[通常モード]に設定される。この際、図４に示す如き正極性のピーク電位Ｖ１を有するリセットパルスＲＰＹに応じて全放電セルＰＣがリセット放電される。その後、全面黒画像を担う映像信号が供給されると、プラズマディスプレイ装置は、[停止モード]に設定される。この際、図６に示すように、リセット行程ＲcではリセットパルスＲＰＹの印加が為されなくなり、当然、リセット放電は生起されない。すなわち、全面黒画像では放電セルＰＣを発光させる必要がないので、リセット放電を停止させて、消費電力の低減を図るのである。特に、リセット放電は画像データに関係のない放電であって、暗コントラストを悪化させる大きな要因となっている。従って、この間、リセットパルスの印加を停止することにより、黒画面を忠実に再現することができ、暗コントラストの向上を図ることができる。
【００４５】
しかしながら、リセットパルスの印加停止期間が続くと、その時間経過に伴うプライミング粒子の減少により、その後、再び、全面黒画像以外の画像を表す映像信号が入力されても放電が安定せずに表示不良を起こす可能が高い。
【００４６】
そこで、本発明においては、[停止モード]の状態、つまり全面黒画像の状態から、それ以外の通常の画像状態に遷移した場合には、直ちに[通常モード]の状態に戻すのではなく、図１３に示す如く、一旦、所定の第２期間Ｔ２だけ[ブーストモード]の状態を維持させてから、[通常モード]の状態に戻すようにしている。この際、[ブーストモード]では、リセットパルスＲＰＹにおける正極性のピーク電位を、[通常モード]でのピーク電位Ｖ１よりも高いピーク電位Ｖ２に設定している。つまり、[ブーストモード]時におけるリセット行程Ｒcでは、[通常モード]時におけるリセット行程Ｒcで生起されるリセット放電よりも強いリセット放電が生起されるのである。よって、[停止モード]にてリセットパルスの印加を停止したが故に各放電セルＰＣ内のプライミング粒子が少なくなっていても確実にリセット放電を生起させることが可能となる。更に、この[ブーストモード]では、[通常モード]時よりも放電強度の大なるリセット放電を生起させることにより、比較的多くのプライミング粒子が発生することになるので、上述した如きプライミング粒子の不足分が補充されることになる。そこで、[ブーストモード]を継続する期間、つまり図１３に示す如き第２期間Ｔ２は、プライミング粒子の不足分を解消できる程度の期間長に設定する。これにより、その後の各放電を安定して生起させることが可能となり、表示不良の無い良好な表示画像を提供できるようになる。尚、第２期間Ｔ２に亘る[ブーストモード]の後は、放電は連続して安定した状態となるので、[通常モード]に移行させることによりリセットパルスのピーク電位Ｖ２を通常のピーク電位Ｖ１に戻して、暗コントラストを向上させるのである。
【００４７】
尚、図１３に示すシーケンスでは、[ブーストモード]の開始時点で、リセットパルスＲＰＹのピーク電位をＶ１からＶ２に切り替えるべき処理（電位Ｖ２を示すピーク電位指定信号ＣＶを可変直流電源ＶＲに供給する）を実行しているが、これを図１４に示すように、[停止モード]の開始タイミングで実行するようにしても良い。すなわち、[ブーストモード]の開始と同時に、電位Ｖ２を示すピーク電位指定信号ＣＶを可変直流電源ＶＲに供給しても、ＰＤＰ１０は容量性素子である為、その処理が直ちにリセットパルスＲＰＹのピーク電位には反映されず、その間、放電が不安定になる場合がある。そこで、図１４に示すように、[ブーストモード]の直前の[停止モード]の段階で、リセットパルスＲＰＹのピーク電位をピーク電位Ｖ２に切り替えるべき処理を実施しておくことにより、[ブーストモード]の開始と同時にピーク電位Ｖ２を有するリセットパルスＲＰＹの生成を可能としている。尚、[停止モード]では、図５に示す如きリセットパルス発生回路のスイッチング素子ＳＷはオフ状態固定となっているので、表示に対する弊害は生じない。
【００４８】
又、図１４に示すシーケンスでは、[停止モード]の開始時点で、リセットパルスＲＰＹのピーク電位をＶ１からＶ２に切り替えるべき処理を実行しているが、図１５に示す如く[停止モード]の期間中において段階的にピーク電位を高めて行き、[ブーストモード]の直前で最終的なピーク電位Ｖ２に到らせるべき処理を実行するようにしても良い。すなわち、可変直流電源ＶＲに対して急激な出力電圧の変化を生じさせるような制御を実行すると、この可変直流電源ＶＲで誤動作が生じる可能性が高まる。そこで、[停止モード]の期間中において、可変直流電源ＶＲに対して電位Ｖ１から電位Ｖ２に向けて段階的に出力電圧を高めるべき制御を実行することによって、誤動作の発生を防止するのである。
【００４９】
又、図１３に示すシーケンスでは、[ブーストモード]の終了と同時にリセットパルスＲＰＹのピーク電位をＶ２からＶ１に切り替えるべき処理を実行しているが、図１６に示す如く[ブーストモード]直後の[通常モード]の期間中において段階的にピーク電位をＶ２からＶ１に向けて低下させるべき処理を実行するようにしても良い。すなわち、[ブーストモード]から[通常モード]への復帰直後に、リセットパルスＲＰＹのピーク電位をＶ２からＶ１へと急激に低下させると、リセット放電の放電強度もこれに応じて大幅に変化する為、変更前後で、黒表示時の輝度が大きく変動して視聴者に違和感を与えることになる。そこで、図１６に示すように、リセットパルスＲＰＹのピーク電位をＶ２からＶ１に向けて段階的に徐々に低下させることにより、黒表示時の輝度変動が視覚的に目立たないようにするのである。
【００５０】
又、図１３に示すシーケンスに代わり、上述した如き図１５及び図１６の技術を共に採用した図１７に示す如きシーケンスを採用しても良い。
【００５１】
ここで、図１及び図１２に示されるプラズマディスプレイ装置では、図３及び図４に示す如く、ＳＦ１のリセット行程Ｒcにおいて全放電セルＰＣを点灯モードの状態に初期化し、ＳＦ各々のアドレス行程Ｗcにて各放電セルＰＣを選択的に消灯モードの状態に遷移させるという、いわゆる選択消去アドレス法を採用してＰＤＰ１０を駆動している。
【００５２】
しかしながら、ＰＤＰ１０を駆動する方法としては、ＳＦ各々のアドレス行程Ｗcにおいて各放電セルＰＣを選択的に点灯モードの状態に遷移させるという、いわゆる選択書込アドレス法を採用しても良い。この際、各ＳＦの先頭部に、全放電セルＰＣを消灯モードの状態に初期化するリセット行程Ｒcを設けるようにしても良い。
【００５３】
又、１フレーム表示期間内の少なくとも１のＳＦのアドレス行程Ｗcでは各放電セルＰＣを選択的に点灯モードの状態に遷移させる選択書込アドレス、その他のＳＦのアドレス行程Ｗcでは各放電セルＰＣを選択的に消灯モードの状態に遷移させる選択消去アドレスを実行するようにしても良い。
【００５４】
又、リセット行程Ｒcに関しては、これを実行しないフレーム（又はフィールド）を設けるようにしても良い。すなわち、連続する複数のフレーム（又はフィールド）毎に、１つのフレーム（又はフィールド）のみでリセット行程Ｒcを実行するのである。
【００５５】
又、図４及び図７では、リセット行程Ｒcにおいて全放電セルＰＣに印加するリセットパルスとして、正極性のピーク電位を有するリセットＲＰＹを例示したが、これに代わり負極性のピーク電位を有するリセットパルスを採用しても良い。この際、[ブーストモード]時においてリセット行程Ｒcで印加するリセットパルスの負極性ピーク電位Ｖ２の絶対値は、[通常モード]時においてリセット行程Ｒcで印加するリセットパルスの負極性ピーク電位Ｖ１の絶対値よりも大である。
【００５６】
又、図４及び図７に示す一例では、リセット行程Ｒcにおいて、[ブーストモード]時には、[通常モード]時に比してリセットパルスＲＰＹのピーク電位を高めるようにしているが、このピーク電位を高める代わりにパルス幅を広げるようにしても良い。例えば、図１８に示すように、[通常モード]時には、正極性ピーク電位Ｖ１を有し且つパルス幅Ｗ１のリセットパルスＲＰＹを全ての行電極Ｙに印加する。一方、[ブーストモード]時には、正極性ピーク電位Ｖ１を有し且つパルス幅Ｗ１よりも広いパルス幅Ｗ２のリセットパルスＲＰＹを全ての行電極Ｙに印加するのである。つまり、[ブーストモード]時には、リセット放電の放電強度を増加させるべく、リセットパルスＲＰＹのパルス幅を広げるのである。
【００５７】
また、リセットパルスＲＰＹの立ち上がり区間での波形の形状は、図４、図７及び図１８に示すものに限定されず、例えば矩形状、或いはランプ形状であっても良い。
【００５８】
尚、上記実施例においては、[ブーストモード]時においてそのピークレベルの増加対象となる駆動パルスとして、リセットパルスＲＰＹをあげているが、それには限らず他の各種駆動パルス（走査パルスＳＰ、画素データパルスＤＰ、サスティンパルスＩＰＸ及びＩＰＹ）についても適応が可能である。
【００５９】
要するに、映像信号が未入力の状態や全面黒画像の状態になってから所定の第１期間Ｔ１経過後に各種駆動パルスの印加を停止することにより電力消費の削減を図る（停止モード）。その後、映像信号が入力される又は全面黒画像以外の状態に移行すると、その時点から所定の第２期間Ｔ２が経過するまでの間に亘り、各種駆動パルスのピーク電位の絶対値を増加する、又はそのパルス幅を広げることにより放電強度を高める（ブーストモード）。つまり、駆動パルスの印加を停止してしまうと、本来、放電に伴って生成されるべきプライミング粒子の生成が為されなくなるので、その停止期間が長くなるほど放電セル内に残留するプライミング粒子の量が減少して放電が生起しづらい状態となる。そこで、映像信号が入力される又は全面黒画像以外の状態に復帰した直後は、例え放電セル内に残留するプライミング粒子の量が少ない状態であっても放電が生起されるように、上記第２期間Ｔ２の間だけ、各種駆動パルスのピーク電位の絶対値を増加する、又はそのパルス幅を広げるのである。そして、この第２期間Ｔ２中において生起された放電によって、再びプライミング粒子が増え、放電が生起されやすくなるので、各種駆動パルスのピーク電位の絶対値又はそのパルス幅を通常の値に戻すのである（通常モード）。
【００６０】
尚、図２、図８〜図１１、図１３〜図１７に示される第１期間Ｔ１及び第２期間Ｔ２は共に０より大であるが、第１期間Ｔ１に関しては０であっても構わない。
【図面の簡単な説明】
【００６１】
【図１】は本発明による駆動方法に従ってプラズマディスプレイパネルの駆動を行うプラズマディスプレイ装置の構成を示す図である。
【図２】リセットモード設定部２によって設定されたリセットモード（ＲＭ）に応じて為される動作を説明する為の図である。
【図３】図１に示されるＰＤＰ１０を駆動する際の発光駆動シーケンスの一例を示す図である。
【図４】[通常モード]時においてサブフィールドＳＦ１でＰＤＰ１０に印加される各種駆動パルスの印加タイミングを示す図である。
【図５】Ｙ電極ドライバ６に含まれるリセットパルス発生回路の一例を示す図である。
【図６】[停止モード]時においてサブフィールドＳＦ１でＰＤＰ１０に印加される各種駆動パルスの印加タイミングを示す図である。
【図７】[ブーストモード]時においてサブフィールドＳＦ１でＰＤＰ１０に印加される各種駆動パルスの印加タイミングを示す図である。
【図８】図２に示される動作に対する第１の変形例による動作を説明する為の図である。
【図９】図２に示される動作に対する第２の変形例による動作を説明する為の図である。
【図１０】図２に示される動作に対する第３の変形例による動作を説明する為の図である。
【図１１】図２に示される動作に対する第４の変形例による動作を説明する為の図である。
【図１２】本発明による駆動方法に従ってプラズマディスプレイパネルの駆動を行うプラズマディスプレイ装置の他の構成を示す図である。
【図１３】図１２に示されるリセットモード設定部２０によって設定されたリセットモード（ＲＭ）に応じて為される動作を説明する為の図である。
【図１４】図１３に示される動作に対する第１の変形例による動作を説明する為の図である。
【図１５】図１３に示される動作に対する第２の変形例による動作を説明する為の図である。
【図１６】図１３に示される動作に対する第３の変形例による動作を説明する為の図である。
【図１７】図１３に示される動作に対する第４の変形例による動作を説明する為の図である。
【図１８】[ブーストモード]において、ピーク電位に代わりパルス幅を広げるようにした場合でのリセットパルスＲＰＹの波形を示す図である。
【主要部分の符号の説明】
【００６２】
１      同期検出部
２、20  リセットモード設定部
３      駆動制御部
４      アドレスドライバ
５      Ｘ電極ドライバ
６      Ｙ電極ドライバ
７      黒画像検出部
１０    ＰＤＰ
【図１】
2009265373.tif 000003
【図２】
2009265373.tif 000004
【図３】
2009265373.tif 000005
【図４】
2009265373.tif 000006
【図５】
2009265373.tif 000007
【図６】
2009265373.tif 000008
【図７】
2009265373.tif 000009
【図８】
2009265373.tif 000010
【図９】
2009265373.tif 000011
【図１０】
2009265373.tif 000012
【図１１】
2009265373.tif 000013
【図１２】
2009265373.tif 000014
【図１３】
2009265373.tif 000015
【図１４】
2009265373.tif 000016
【図１５】
2009265373.tif 000017
【図１６】
2009265373.tif 000018
【図１７】
2009265373.tif 000019
【図１８】
2009265373.tif 000020